(57)【要約】      （修正有）【課題】可撓性ポット育苗箱を容易に持ち上げて運搬することができるポット育苗箱持ち上げ具を提供する。【解決手段】長さのある本体部３の基端に握持部１を有し先端に可撓性ポット育苗箱４に掛止可能な掛止部２を有する持ち上げ体Ａを一対備えたポット育苗箱持ち上げ具であって、掛止部２は、可撓性ポット育苗箱４の長手方向の対向縁に垂設されている垂下片部に下方から掛止可能なフック状に形成すると共に、可撓性ポット育苗箱４の長手方向幅寸法の１／２以上の長さ幅を有する幅広フック状に形成する。【選択図】図５
0003201513.tif 000002
【実用新案登録請求の範囲】
【請求項１】
長さのある本体部の基端に握持部を設け、先端に可撓性ポット育苗箱に掛止可能な掛止部を設けて成る持ち上げ体を一対備えたポット育苗箱持ち上げ具であって、前記掛止部は、前記可撓性ポット育苗箱の長手方向の対向縁に垂設されている垂下片部に下方から掛止可能なフック状に形成すると共に、可撓性ポット育苗箱の長手方向幅寸法の１／２以上の長さ幅を有する幅広フック状に形成したことを特徴とするポット育苗箱持ち上げ具。
【請求項２】
前記掛止部は、前記可撓性ポット育苗箱の前記垂下片部に下方から掛止した際に垂下片部の内側面に当接係止可能な内面係止部を設けて、この内面係止部が垂下片部の内側面に当接係止することにより可撓性ポット育苗箱を横方向へ引動可能な構成としたことを特徴とする請求項１記載のポット育苗箱持ち上げ具。
【請求項３】
前記握持部は、前記掛止部の長さ方向と平行な長さを有する握持杆を設けたことを特徴とする請求項１，２のいずれか１項に記載のポット育苗箱持ち上げ具。
【請求項４】
前記持ち上げ体は、前記本体部の基端に、前記握持杆の長さ方向の中間位置を連設し、前記本体部の先端に、前記掛止部の長さ方向の中間位置を連設した構成としたことを特徴とする請求項３記載のポット育苗箱持ち上げ具。
【請求項５】
前記持ち上げ体は、前記本体部に設けた伸縮機構を介して全長を伸縮調整可能に構成したことを特徴とする請求項１〜４のいずれか１項に記載のポット育苗箱持ち上げ具。
【考案の詳細な説明】
【技術分野】
【０００１】
本考案は、ネギ類等を育苗する可撓性ポット育苗箱を容易に持ち上げて運搬することができるポット育苗箱持ち上げ具に関するものである。
【背景技術】
【０００２】
ビニールハウス内の育苗箱を田圃等へ搬送する際には、ビニールハウス内の地面に置いてある育苗箱の対向縁部を作業者が両手で掴んで（縁部に指先を引っ掛けて）育苗箱を持ち上げ、搬送車両（軽トラック等）へと運搬する。
【０００３】
この作業をビニールハウス内の育苗箱がなくなるまで繰り返すが、作業者は、育苗箱を持ち上げるために腰を大きく屈ませたりしゃがんだりする動作を何度も行うので、足や腰などに非常に大きな負担が掛かる。
【０００４】
そこで出願人は、作業者が腰を屈ませたりしゃがんだりすることなしに育苗箱の持ち上げ作業を容易に行うことが可能となる実用新案登録第３１６０６１９号（特許文献１）を提案している。
【０００５】
この特許文献１を簡単に説明すると、基端部に握持部を設け先端部に育苗箱の縁部裏面に引っ掛け係止する二つの爪部を設けた第一持ち上げ棒体と、基端部に握持部を設け先端部に前記育苗箱の縁部裏面に引っ掛け係止する一つの爪部を設けた第二持ち上げ棒体とからなり、この第一持ち上げ棒体及び第二持ち上げ棒体は、少なくとも立直状態の作業者の膝の高さ以上となる長さを有し、前記第一持ち上げ棒体の先端部に前記二つの爪部を離間状態に設け、前記第二持ち上げ棒体の先端部に、前記第一持ち上げ棒体の先端部に離間状態に設けた前記二つの爪部の間隔よりも狭い幅に設定した前記一つの爪部を設けて、前記育苗箱の対向する縁部の一方に、前記第一持ち上げ棒体の二つの爪部を引っ掛け係止し、対向する縁部の他方の前記第一持ち上げ棒体の爪部間と対向する位置に、前記第二持ち上げ棒体の一つの爪部を引っ掛け係止して、前記育苗箱を前記第一持ち上げ棒体に設けた二つの爪部と前記第二持ち上げ棒体に設けた一つの爪部との三点支持で持ち上げできるように構成されている。
【先行技術文献】
【特許文献】
【０００６】
【特許文献１】実用新案登録第３１６０６１９号公報
【特許文献２】特開平９−３２７２３４号公報
【考案の概要】
【考案が解決しようとする課題】
【０００７】
ところで、従来から、ポット育苗箱と称される、底面に押出穴を設けた多数のポット状苗室を一定間隔に配してなる可撓性の育苗箱が実施されている（特許文献２参照。）。
【０００８】
このポット育苗箱の運搬に際しても、上記特許文献１の育苗箱持ち上げ具を使用したいが、ポット育苗箱は可撓性を有するため、爪部により点で支持する構成（一般的な育苗箱の縁部裏面には補強リブが複数並設状態に設けられており、特許文献１はこの並設する補強リブ間に引っ掛け係止して持ち上げようとするものであるために点の支持を採用している。）ではポット育苗箱の荷重がこの爪部に集中してしまい、その結果爪部がポット育苗箱に食い込んでポット育苗箱を傷めてしまい易いために、使用には適さなかった。
【０００９】
本考案は、このような現状に鑑みて考案されたもので、可撓性ポット育苗箱を容易に持ち上げて運搬することができるポット育苗箱持ち上げ具を提案するものである。
【課題を解決するための手段】
【００１０】
添付図面を参照して本考案の要旨を説明する。
【００１１】
長さのある本体部３の基端に握持部１を設け、先端に可撓性ポット育苗箱４に掛止可能な掛止部２を設けて成る持ち上げ体Ａを一対備えたポット育苗箱持ち上げ具であって、前記掛止部２は、前記可撓性ポット育苗箱４の長手方向の対向縁に垂設されている垂下片部５に下方から掛止可能なフック状に形成すると共に、可撓性ポット育苗箱４の長手方向幅寸法の１／２以上の長さ幅を有する幅広フック状に形成したことを特徴とするポット育苗箱持ち上げ具に係るものである。
【００１２】
また、前記掛止部２は、前記可撓性ポット育苗箱４の前記垂下片部５に下方から掛止した際に垂下片部５の内側面８に当接係止可能な内面係止部９を設けて、この内面係止部９が垂下片部５の内側面８に当接係止することにより可撓性ポット育苗箱４を横方向へ引動可能な構成としたことを特徴とする請求項１記載のポット育苗箱持ち上げ具に係るものである。
【００１３】
また、前記握持部１は、前記掛止部２の長さ方向と平行な長さを有する握持杆６を設けたことを特徴とする請求項１，２のいずれか１項に記載のポット育苗箱持ち上げ具に係るものである。
【００１４】
また、前記持ち上げ体Ａは、前記本体部３の基端に、前記握持杆６の長さ方向の中間位置を連設し、前記本体部３の先端に、前記掛止部２の長さ方向の中間位置を連設した構成としたことを特徴とする請求項３記載のポット育苗箱持ち上げ具に係るものである。
【００１５】
また、前記持ち上げ体Ａは、前記本体部３に設けた伸縮機構７を介して全長を伸縮調整可能に構成したことを特徴とする請求項１〜４のいずれか１項に記載のポット育苗箱持ち上げ具に係るものである。
【考案の効果】
【００１６】
本考案は上述のように構成したから、作業者が腰を大きく屈ませたりしゃがんだりする動作を伴うことなく、地面に置かれている可撓性ポット育苗箱を一対の持ち上げ体で持ち上げ運搬することができ、しかも、可撓性ポット育苗箱の長手方向幅寸法の１／２以上の長さ幅を有する幅広フック状の掛止部で可撓性ポット育苗箱を持ち上げる構成としたため、可撓性ポット育苗箱の広範囲に持ち上げ力が作用して可撓性ポット育苗箱が撓み変形しにくく、苗が落下しにくく可撓性ポット育苗箱の回転も防止されて安定的に持ち上げ運搬可能となると共に、可撓性ポット育苗箱の荷重が掛止部に分散して加わるために掛止部が可撓性ポット育苗箱を傷めにくいなど、極めて実用性に優れたポット育苗箱持ち上げ具となる。
【００１７】
また、請求項２記載の考案においては、多数の可撓性ポット育苗箱が地面に隙間なく敷き詰められた状態で育苗されていて、可撓性ポット育苗箱の長手方向の対向縁の片側にしか掛止部を掛止できないような状況であっても、片側の対向縁に一方の持ち上げ体の掛止部を掛止して可撓性ポット育苗箱を横方向へと引動移動させることができ、これにより反対側の対向縁にも他方の持ち上げ体の掛止部を掛止可能となる状況を容易に作り出すことができる一層実用性に優れた構成のポット育苗箱持ち上げ具となる。
【００１８】
また、請求項３記載の考案においては、作業者に対して垂直方向に向く握持杆を操作して可撓性ポット育苗箱の長手方向の対向縁の垂下片部に一対の持ち上げ体の掛止部を掛止でき、これにより可撓性ポット育苗箱を持ち上げるにあたって首や腕などに余計な負担が掛からず一層容易に持ち上げ操作できる極めて実用性に優れた構成のポット育苗箱持ち上げ具となる。
【００１９】
また、請求項４記載の考案においては、持ち上げ体の重量バランスが良く、一層取り扱い性に優れた構成のポット育苗箱持ち上げ具となる。
【００２０】
また、請求項５記載の考案においては、作業者の身長に応じて、楽な姿勢での持ち上げ作業が可能となる全長に持ち上げ体を伸縮調整できる一層実用性に優れた構成のポット育苗箱持ち上げ具となる。
【図面の簡単な説明】
【００２１】
【図１】本実施例の持ち上げ体を示す斜視図である。
【図２】本実施例の一方の持ち上げ体の掛止部を、可撓性ポット育苗箱の片側の垂下片部に掛止めした状態を示す斜視図である。
【図３】図２に続いて、一方の持ち上げ体を持ち上げて、苗の根を地面から引き剥がす様子を示す部分拡大説明図である。
【図４】図３に続いて、他方の持ち上げ体の掛止部を、可撓性ポット育苗箱の反対側の垂下片部にも掛止めした状態を示す斜視図である。
【図５】図４に続いて、一対の持ち上げ体を持ち上げ操作することにより可撓性ポット育苗箱を持ち上げた状態を示す概略説明斜視図である。
【図６】本実施例の持ち上げ体を示す、伸縮機構を介して全長を最も長くした状態（ａ）と、最も短くした状態（ｂ）の説明正面図である。
【図７】本実施例の伸縮機構を示す説明部分拡大正断面図である。
【考案を実施するための形態】
【００２２】
好適と考える本考案の実施形態を、図面に基づいて本考案の作用を示して簡単に説明する。
【００２３】
作業者Ｓが握持部１を握持して両手に一対の持ち上げ体Ａを携帯し、一対の持ち上げ体Ａの先端のフック状掛止部２を、地面10に載置されている可撓性ポット育苗箱４の長手方向の対向縁に垂設されている各垂下片部５に下方から掛止すると、作業者Ｓが一対の持ち上げ体Ａを上方へ持ち上げる動作によって、可撓性ポット育苗箱４を地面10から持ち上げることができる。
【００２４】
この際、持ち上げ体Ａは、その本体部３が長さを有するため、作業者Ｓが腰を大きく屈ませたりしゃがんだりする動作を伴わずとも容易に可撓性ポット育苗箱４を持ち上げて運搬することができ、例えば、この本体部３の長さを、起立姿勢の作業者Ｓの膝の高さ以上となる長さに設定することにより、作業者Ｓは、ほとんど腰を屈ませたりしゃがんだりすることなく、掛止部２を可撓性ポット育苗箱４の垂下片部５に掛止めることができる。
【００２５】
また、この際、可撓性ポット育苗箱４の長手方向幅寸法の１／２以上の長さ幅を有する幅広フック状に形成した掛止部２は、可撓性ポット育苗箱４の垂下片部５の１／２以上の範囲に対して掛止することになる。
【００２６】
そのため、可撓性ポット育苗箱４の長手方向の対向縁の広範囲に持ち上げ力が作用して可撓性ポット育苗箱４が撓み変形しにくくなり、苗11が落下しにくい状態で可撓性ポット育苗箱４を持ち上げ運搬可能となると共に、可撓性ポット育苗箱４の回転を防止して安定的に持ち上げ運搬可能となる。しかも育苗箱を点で支持する上記特許文献１とは異なり、可撓性ポット育苗箱４の荷重が掛止部２に点集中せずに分散して加わるので、掛止部２が可撓性ポット育苗箱４を傷めにくい。
【００２７】
また、例えば、前記掛止部２は、前記可撓性ポット育苗箱４の前記垂下片部５に下方から掛止した際に垂下片部５の内側面８に当接係止可能な内面係止部９を設けて、この内面係止部９が垂下片部５の内側面８に当接係止することにより可撓性ポット育苗箱４を横方向へ引動可能な構成としても良い。
【００２８】
このように構成した場合は、多数の可撓性ポット育苗箱４が地面10に隙間なく敷き詰められていて可撓性ポット育苗箱４の長手方向の対向縁の片側にしか掛止部２を掛止できないような状況において、この片側の対向縁に一方の持ち上げ体Ａの掛止部２を掛止すると、この一方の持ち上げ体Ａを横方向へ引動する動作により可撓性ポット育苗箱４を横方向へと引動移動させることができる。そして、この横移動により、反対側の対向縁を隣接する可撓性ポット育苗箱４から離してこの反対側対向縁にも他方の持ち上げ体Ａの掛止部２を掛止可能となる。
【００２９】
また、例えば、前記握持部１は、前記掛止部２の長さ方向と平行な長さを有する握持杆６を設ける構成を採用しても良い。
【００３０】
このように構成した場合は、可撓性ポット育苗箱４の長手方向の対向縁の垂下片部５に、一対の持ち上げ体Ａの掛止部２を掛止した際に、この一対の持ち上げ体Ａの握持部１（握持杆６）が作業者に対して垂直前方に向くことになるので、作業者Ｓがこの握持杆６を握持し易く、可撓性ポット育苗箱４を持ち上げるにあたって首や腕などに余計な負担が掛からず容易に持ち上げることができる。
【００３１】
また、例えば、前記持ち上げ体Ａは、前記本体部３の基端に、前記握持杆６の長さ方向の中間位置を連設し、前記本体部３の先端に、前記掛止部２の長さ方向の中間位置を連設した構成としても良い。
【００３２】
このように構成した場合は、持ち上げ体Ａの重量バランスに偏りがないので非常に扱い易く、操作性に優れる。
【００３３】
また、例えば、前記持ち上げ体Ａは、伸縮機構７を介して全長を伸縮調整可能に構成しても良い。
【００３４】
このように構成した場合は、作業者Ｓの身長に応じて、腰を屈ませたりしゃがんだりすることなく掛止部２を可撓性ポット育苗箱４の垂下片部５に掛止めできるように、即ち作業者Ｓが楽な姿勢で可撓性ポット育苗箱４を持ち上げ操作できるように、持ち上げ体Ａの全長を伸縮調整できる。
【実施例】
【００３５】
本考案の具体的な実施例について図面に基づいて説明する。
【００３６】
本実施例は、底面に押出穴を設けた多数のポット状苗室を一定間隔に配してなる既存の可撓性ポット育苗箱４を持ち上げて運搬するためのポット育苗箱持ち上げ具であって、長さのある本体部３の基端に握持部１を有し先端に可撓性ポット育苗箱４に掛止可能な掛止部２を有する持ち上げ体Ａを一対備えた構成としている。
【００３７】
本実施例の握持部１は、合成樹脂製であって、図１に示すように、長さを有する略Ｄ形パイプ状の握持杆６の下部に、前記本体部３の基端（図面の上端）に被嵌可能な角パイプ状であって握持杆６の長さ方向と直交する方向にパイプ長を有する連結部18を一体成形により垂設状態に連設した構成としている。
【００３８】
この握持部１の、本体部３上端への連結構造は、前記連結部18を本体部３（の後述する上側棒状部13）の上端に被嵌した上で、ビス19の締付により連結した構造としている。
【００３９】
また、この握持部１は、前記連結部18が、前記握持杆６の長さ方向（パイプ長）の略中間位置から前記連結部18が垂設する略Ｔ字状体に構成している。即ち、本実施例では、前記本体部３の基端に、前記握持杆６の長さ方向の中間位置を連設した構成としている。
【００４０】
本実施例の掛止部２は、金属製の横長帯板を折曲形成して成るもので、既存の前記可撓性ポット育苗箱４の長手方向の対向縁に垂設されている垂下片部５に下方から掛止可能なフック状に形成している。
【００４１】
更に具体的には、掛止部２は、図１，図３に示すように、縦設状態で前記本体部３の先端（図面の下端）に連結される前記金属製横長帯板の途中部より下方部分を、斜め下方へ折曲すると共に、その折曲先端を更に斜め上方へ折曲することにより、下部に側面視で略Ｖ字形を成すフック部20を有する形状に構成し、このフック部20が前記垂下片部５に下方から掛止可能となる構成としている。
【００４２】
また、この掛止部２は、可撓性ポット育苗箱４の長手方向幅寸法の１／２以上の長さ幅を有する幅広フック状に形成して、可撓性ポット育苗箱４の垂下片部５の１／２以上の範囲に対して掛止することになる構成としている（図２，図４，図５参照）。
【００４３】
また、この掛止部２は、前記可撓性ポット育苗箱４の前記垂下片部５に下方から掛止した際に、可撓性ポット育苗箱４の上方への持ち上げだけでなく、横方向へ引動移動させることも可能になるフック状に形成している。
【００４４】
具体的には、前記フック部20の先端部の内側面部を、前記可撓性ポット育苗箱４の前記垂下片部５に下方から掛止した際に垂下片部５の内側面８に当接係止可能な内面係止部９とし、この内面係止部９が垂下片部５の内側面８に当接係止することにより、前記持ち上げ体Ａを引動操作して可撓性ポット育苗箱４を横方向へ引動移動可能となるように構成している（図３参照）。
【００４５】
この掛止部２の、本体部３下端への連結構造は、本体部３の下端に溶接により連結した構造としている。
【００４６】
また、この掛止部２は、その長さ方向の略中間位置を、本体部３（の後述する下側棒状部14）の下端に溶接した構成としている。即ち、本実施例では、本体部３の先端に、前記掛止部２の長さ方向の中間位置を連結した構成としている。従って、掛止部２と前記握持杆６の夫々の中間位置に前記本体部３を連設したことにより、重量バランスに偏りがなく非常に扱い易くなる持ち上げ体Ａを構成した場合を示している。
【００４７】
また、この掛止部２は、その長さ方向が前記握持部１の握持杆６の長さ方向と平行関係となるようにして前記本体部３の先端に連結した構成としている。従って、可撓性ポット育苗箱４の長手方向の対向縁の垂下片部５に、一対の持ち上げ体Ａの掛止部２を掛止すると、この一対の持ち上げ体Ａの握持部１（握持杆６）が作業者に対し垂直前方を向くこととなって、作業者Ｓがこの握持杆６を握持し易く、可撓性ポット育苗箱４を持ち上げるにあたって首や腕などに余計な負担が掛からず容易に持ち上げることが可能となる構成としている。
【００４８】
本実施例の本体部３は、長さのある金属製棒状体に構成している。
【００４９】
また、この本体部３には伸縮機構７を設け、この伸縮機構７を介して本体部３の全長、即ち持ち上げ体Ａの全長（全高）を図６（ａ），（ｂ）のように伸縮調整可能に構成している。従って、作業者Ｓの身長に応じて、腰を屈ませたりしゃがんだりすることなく容易に掛止部２を可撓性ポット育苗箱４の垂下片部５に掛止め可能となるように、持ち上げ体Ａの長さ（高さ）を伸縮調整できる構成としている。
【００５０】
具体的には、本体部３は、角パイプ状の上側棒状部13内に、この上側棒状部13よりやや径小な角パイプ状の下側棒状部14をスライド自在に嵌挿して全長をスライド伸縮調整自在な構成とし、更に、図７に示すように締付ネジ15を具備したロック筒体16を前記上側棒状部13の下端部に被嵌固定すると共に、このロック筒体16の締付ネジ15を貫通するネジ通し孔17を上側棒状部13の下端付近の側面部に形成し、このネジ通し孔17に貫通した締付ネジ15を締め付け螺動するとネジ通し孔17から上側棒状部13内に突出する締付ネジ15先端が前記下側棒状部14の側面部に圧接して上側棒状部13と下側棒状部14とが伸縮スライド調整不能な状態となり、この締付ネジ15を緩めることで伸縮スライド調整可能な状態となる前記伸縮機構７を構成している。
【００５１】
次に、このように構成した本実施例のポット育苗箱持ち上げ具の使用方法を説明する。
【００５２】
予め伸縮機構７により本体部３の長さ（持ち上げ体Ａの全長）を、例えば起立姿勢の作業者Ｓの膝の高さ以上となる長さに設定しておき、作業者Ｓが、握持部１を握持して両手に一対の持ち上げ体Ａを携帯する。
【００５３】
例えば、ビニールハウス内の地面10には、多数の可撓性ポット育苗箱４が地面10に隙間なく敷き詰められているが、最も外側に並べている可撓性ポット育苗箱４の長手方向の対向縁の片側の垂下片部５に一方の持ち上げ体Ａの掛止部２を掛止し、この一方の持ち上げ体Ａを上方へ少し持ち上げるようにすると、ポット状苗室の押出穴から地面10へと根付いた苗11の根12を地面10から引き剥がすことができる（図２，図３参照）。
【００５４】
次いで、一方の持ち上げ体Ａを横方向へ引動操作して可撓性ポット育苗箱４を横方向へと引動移動し、可撓性ポット育苗箱４の反対側の対向縁を隣接する可撓性ポット育苗箱４から離してその垂下片部５を露出させる。
【００５５】
そして、この露出した反対側対向縁の垂下片部５に、他方の持ち上げ体Ａの掛止部２を掛止し（図４参照）、一対の持ち上げ体Ａを上方へ持ち上げる操作によって可撓性ポット育苗箱４を地面10から持ち上げることができ、この持ち上げ姿勢のまま適所へと可撓性ポット育苗箱４を運搬することができる（図５参照）。
【００５６】
尚、本考案は、本実施例に限られるものではなく、各構成要件の具体的構成は適宜設計し得るものである。
【符号の説明】
【００５７】
１  握持部
２  掛止部
３  本体部
４  可撓性ポット育苗箱
５  垂下片部
６  握持杆
７  伸縮機構
８  内側面
９  内面係止部
Ａ  持ち上げ体
【図１】
0003201513.tif 000003
【図２】
0003201513.tif 000004
【図３】
0003201513.tif 000005
【図４】
0003201513.tif 000006
【図５】
0003201513.tif 000007
【図６】
0003201513.tif 000008
【図７】
0003201513.tif 000009